(57)【要約】【課題】本発明の目的は、災害時により多くの加入者に、公平に通話を接続する方法を提供することである。【解決手段】本発明では、エリア内からの通話を規制する通話規制装置であって、前記エリア内について設定された通話回数の制限値と、前記エリア内で通話を行った端末に対し通話回数を含む履歴とを記憶する手段と、エリア内からの呼発生時に、前記制限値と前記履歴に基づき前記呼に対する通話接続の許可と不許可を判断する判断手段と、前記判断結果を前記エリア内の交換機に通知する通信手段とを備えたことを特徴とする通話規制装置を用いる。【選択図】    図１
2007243325.tif 000002
【特許請求の範囲】
【請求項１】
エリア内からの通話を規制する通話規制装置であって、
前記エリア内について設定された通話回数の制限値と、前記エリア内で通話を行った端末に対し通話回数を含む履歴とを記憶する手段と、
エリア内からの呼発生時に、前記制限値と前記履歴に基づき前記呼に対する通話接続の許可と不許可を判断する判断手段と、
前記判断結果を前記エリア内の交換機に通知する通信手段と
を備えたことを特徴とする通話規制装置。
【請求項２】
エリア内からの通話を規制する通話規制方法であって、
前記エリア内について設定された通話回数の制限値と、前記エリア内で通話を行った端末に対し通話回数とを含む履歴とを記憶するステップと、
エリア内からの呼発生時に、前記制限値と前記履歴に基づき前記呼に対する通話接続の許可と不許可を判断するステップと、
前記判断結果に基づいて通話を接続するステップと、
からなる通話規制方法。
【請求項３】
エリア外からエリア内への通話を規制する通話規制装置であって、
前記エリア内について設定された通話回数の制限値と、前記エリア内で通話を行った端末に対し通話回数を含む履歴とを記憶する手段と、
前記エリア外から前記エリア内への呼発生時に、前記制限値と前記履歴に基づき前記呼に対する通話接続の許可と不許可を判断する判断手段と、
前記判断結果を前記エリア外の交換機に通知する通信手段と
を備えたことを特徴とする通話規制装置。
【請求項４】
エリア内からの通話と、エリア外からエリア内への通話を規制する通話規制装置であって、
前記エリア内について設定された通話回数の制限値と、前記エリア内で所定の時間内に通話を行った端末に対する通話回数とを含む履歴を記憶する手段と、
前記エリア内または前記エリア外から前記エリア内への呼発生時に、前記制限値と前記履歴に基づき、前記呼に対する通話接続の許可と不許可を判断する判断手段と、
前記履歴と判断結果を前記エリア内と前記エリア外の交換機に通知する通信手段と
を備えたことを特徴とする通話規制装置。
【請求項５】
請求項４記載の交換機は、
前記エリア内または前記エリア外から前記エリア内への呼発生時に、前記通話規制装置から前記呼に対する前記通話接続が許可の通知を受けた時は、発信元端末を着信先端末に接続する接続手段と、
前記通話規制装置から、前記着信先端末の所定時間内の通話回数が１回以上の前記履歴の通知と、前記通話接続が不許可の通知を受けた時は、前記発信元端末に対し、前記着信先端末が前記所定時間内に既に通話を行った旨の通知を行なう通知手段と
を備えたことを特徴とする交換機。
【発明の詳細な説明】
【技術分野】
【０００１】
本発明は、被災地における通話規制に関し、特に、災害発生地への発呼および災害発生地からの発信による輻輳を抑制する通話規制に関する。
【背景技術】
【０００２】
従来、災害が発生した場合、被災地住民への安否の確認、または被災地住民からの連絡の呼が集中することにより通話の輻輳が発生する。この過大な呼により交換機がパンク状態となることを防ぐため、呼接続規制状態(通常時よりも繋がりにくい状態)となるが、「確認できないので不安」と言う心理から、輻輳状態が落ち着くのを待たずして繋がるまで何度も繰り返し発呼するユーザが多いため、輻輳状態を落ち着かせるのに時間が掛かる場合がある。
【０００３】
この不都合を防ぐため、従来は災害地への通話規制を行なっている。
【０００４】
特許文献１においては、電話回線が輻輳するときの通話を規制する通話規制として、通話開始から所定の通話規制時間経過後に通話を切断することを特徴としている。
【０００５】
また、予め災害時に、病院、行政機関など優先すべき加入者番号を決めておき、災害時には前記優先加入者番号を優先して接続し、通話が規制された加入者に対して規制理由を通知する方法がある（特許文献２）。
【特許文献１】特開２００１−１８６２５４号公報
【特許文献２】特開平９−３１２６９２号公報
【発明の開示】
【発明が解決しようとする課題】
【０００６】
先に説明した背景技術において、通話開始時刻からの通話時間を所定の時間に制限する方法は、通話には短時間で済む用件と、適当に長い時間を要する用件がある。これらを一律に同一の制限時間にすると、制限時間が短いと必要な要件が伝わらない不便が発生する可能性があり、また、制限時間が長いと不必要な通話により通話の輻輳が増加する可能性がある。
【０００７】
また、前記の背景技術において、優先する加入者を予め決定しておく方法は、大多数の通話である一般加入者の安否確認に対し、不便を来たす可能性があり、公平な通話制限ではない。
【０００８】
従って、本発明の目的の１つは、災害時により多くの加入者に、公平に通話を接続する方法を提供することである。
【０００９】
尚、上記目的に限らず、後述する発明を実施するための最良の形態に示す各構成により導かれる結果であって、従来の技術によっては得られない効果を奏することも、本発明の他の目的の１つとして位置付けることができる。
【課題を解決するための手段】
【００１０】
（１）本発明では、エリア内からの通話を規制する通話規制装置であって、前記エリア内について設定された通話回数の制限値と、前記エリア内で通話を行った端末に対し通話回数を含む履歴とを記憶する手段と、エリア内からの呼発生時に、前記制限値と前記履歴に基づき前記呼に対する通話接続の許可と不許可を判断する判断手段と、前記判断結果を前記エリア内の交換機に通知する通信手段とを備えたことを特徴とする通話規制装置を用いる。
（２）本発明では、エリア内からの通話を規制する通話規制方法であって、前記エリア内について設定された通話回数の制限値と、前記エリア内で通話を行った端末に対し通話回数とを含む履歴とを記憶するステップと、エリア内からの呼発生時に、前記制限値と前記履歴に基づき前記呼に対する通話接続の許可と不許可を判断するステップと、前記判断結果に基づいて通話を接続するステップとからなる通話規制方法を用いる。
（３）本発明では、エリア外からエリア内への通話を規制する通話規制装置であって、前記エリア内について設定された通話回数の制限値と、前記エリア内で通話を行った端末に対し通話回数を含む履歴とを記憶する手段と、前記エリア外から前記エリア内への呼発生時に、前記制限値と前記履歴に基づき前記呼に対する通話接続の許可と不許可を判断する判断手段と、前記判断結果を前記エリア外の交換機に通知する通信手段とを備えたことを特徴とする通話規制装置を用いる。
（４）本発明では、エリア内からの通話と、エリア外からエリア内への通話を規制する通話規制装置であって、前記エリア内について設定された通話回数の制限値と、前記エリア内で所定の時間内に通話を行った端末に対する通話回数とを含む履歴を記憶する手段と、前記エリア内または前記エリア外から前記エリア内への呼発生時に、前記制限値と前記履歴に基づき、前記呼に対する通話接続の許可と不許可を判断する判断手段と、前記履歴と判断結果を前記エリア内と前記エリア外の交換機に通知する通信手段とを備えたことを特徴とする通話規制装置を用いる。
（５）また、請求項４記載の交換機は、前記エリア内または前記エリア外から前記エリア内への呼発生時に、前記通話規制装置から前記呼に対する前記通話接続が許可の通知を受けた時は、発信元端末を着信先端末に接続する接続手段と、前記通話規制装置から、前記着信先端末の所定時間内の通話回数が１回以上の前記履歴の通知と、前記通話接続が不許可の通知を受けた時は、前記発信元端末に対し、前記着信先端末が前記所定時間内に既に通話を行った旨の通知を行なう通知手段とを備えたことを特徴とする交換機を用いる。
【発明の効果】
【００１１】
災害時に、多くの加入者間の通話接続が確保でき、交換機における輻輳規制状態が早く収束し、通常の通話接続状態に回復することができる。
【発明を実施するための最良の形態】
【００１２】
以下、図面を参照することにより、本発明の実施の形態について説明する。
（実施例１）
実施例１においては、災害発生後の被災地エリアＡ１０１での通話回数の制限値を１回として、被災地エリア１０１内からの発信に対する通話規制を行なうこととする。
【００１３】
図１に、実施例１における通話規制のネットワーク構成を示す。
【００１４】
図１において、１０１は被災地エリアＡ、１０２は交換機Ａ、１０２ａは交換装置Ａ、１０３はアナウンスメント装置（通知手段）Ａ、１０４１は基地局Ａ１、１０４２は基地局Ａ２、１０４ｎは基地局Ａｎ、１０５１は端末Ａ１、１０５２は端末Ａ２、１０６は通話規制装置、１０７はエリアＢ、１０８は交換機Ｂ、１０８ａは交換装置Ｂ、１０９はアナウンスメント装置（通知手段）Ｂ、１１０１は基地局Ｂ１、１１０２は基地局Ｂ２、１１０ｎは基地局Ｂｎ、１１１１は端末Ｂ１、１１１２は端末Ｂ２をそれぞれ示す。
【００１５】
実施例１では、災害発生時に、被災地エリアＡ１０１内の端末Ａ１１０５１が、被災地エリアＡ１０１内の端末Ａ２１０５２に発信して通話する。
【００１６】
まず、被災地エリア１０１から発信される通話に対する通話規制を説明する。
【００１７】
図２に、実施例１における被災地エリアから発信された通話に対する通話規制処理フローを示す。
【００１８】
図２において、Ｓ１０１は通話規制の始まり、Ｓ１０２は通話規制装置１０６が災害発生を判断するステップ、Ｓ１２０は通常の接続処理ステップ、Ｓ１０３は通話規制装置１０６が災害による通話規制を各エリアの交換機に通知し、エリアＡ１０１の交換機Ａ１０２が通話規制を開始するステップ、Ｓ１０４は被災地エリア１０１の発信元端末Ａ１１０５１が発信するステップ、Ｓ１０５は被災地交換機Ａ１０２が、通話規制装置１０６に発信元端末Ａ１１０５１および着信先端末Ａ２１０５２の通話の可否を問い合わせ、通話規制装置１０６が発信元端末Ａ１１０５１および着信先端末Ａ２１０５２の被災地エリアＡ１０１での災害発生後の通話回数が制限値を超えていないかを判断するステップ、Ｓ１０６は被災地交換機Ａ１０２がアナウンスメント装置Ａ１０３に命令して、発信元端末Ａ１１０５１にアナウンス情報を通知するステップ、Ｓ１０７は発信元端末Ａ１１０５１を着信先端末Ａ２１０５２に接続するステップ、Ｓ１０８は通話が終了するステップ、Ｓ１０９は発信元端末Ａ１１０５１、および着信先端末Ａ２１０５２の通話履歴を通話規制装置１０６に登録するステップ、Ｓ１１０は通話規制装置１０６が通話の輻輳の終了を判断するステップ、Ｓ１１１は通話規制装置１０６が通話規制を解除するステップをそれぞれ示す。
【００１９】
図３に、実施例１における交換機Ａ１０２の構成図を示す。
図３において、図１と同じものは、同一の番号を付してある。
１０２ａは交換装置Ａ、１０２ｂはコンピュータ（記憶手段、選択手段を含む）、１０２ｃは記憶手段、１０２ｄは命令手段、１０２ｅはスイッチ（接続手段）をそれぞれ示す。
【００２０】
エリア１０１で災害発生すると、交換機Ａ１０２は図１の通話規制装置１０６から、被災地エリア１０１で通話規制を行なう通知を受け、記憶手段１０２ｃに記憶する（図２の処理フローＳ１０３）。
【００２１】
図４に、実施例１における通話規制装置１０６の構成図を示す。
【００２２】
図４において、１０６ａは通信手段、１０６ｂは記憶手段、１０６ｃは判断手段をそれぞれ示す。
【００２３】
交換機Ａ１０２は、エリアＡ１０１内の端末Ａ１１０５１から、着信先端末Ａ２１０５２への呼が発生すると（図２のフローＳ１０４）、記憶手段１０２ｃに記憶した前記通話規制の通知に基づき、通信手段１０２ｃにより、図１の通話規制装置１０６に発信元端末Ａ１１０５１と着信先端末Ａ２１０５２との接続の可否を問い合わせる。
【００２４】
通話規制装置１０６は、端末Ａ１１０５１および着信先端末Ａ２１０５２の現在の在圏エリア情報と通話履歴を示す情報を記憶手段１０６ｂに記憶しており、判断手段１０６ｃは、前記記憶した情報を用いて、発信元端末Ａ１１０５１および、着信先端末Ａ２１０５２が災害発生時刻以降に、被災地エリアＡ１０１で通話した回数に応じて予め設定した通話回数の制限値を超えるかどうかを判断する（図２のフローＳ１０５）。
【００２５】
例えば、前記通話回数の制限値が１回の場合は、発信元端末Ａ１１０５１および、着信先端末Ａ２１０５２の少なくも一方が、災害発生後に１回通話しておれば接続不可と判断し、前記端末のいずれもが災害発生後に通話していなければ接続可と判断する。
【００２６】
そして交換機Ａ１０２に、端末Ａ１１０５１と着信先端末Ａ２１０５２の接続の可否を通知する。
【００２７】
前記交換機Ａ１０２は、通信手段１０２ｃにより前記通話規制装置１０６からの通知を受信すると、命令手段１０２ｄは前記通知が通話可の場合は、前記発信元端末Ａ１１０５１から前記着信先端末Ａ２１０５２への通話接続を、接続手段１０２ｅに命令する。接続手段１０２ｅは前記発信元端末Ａ１１０５１から前記着信先端末Ａ２１０５２への通話接続を実行する。
【００２８】
前記命令手段１０２ｄは前記通知が通話不可の場合は、アナウンスメント装置（通知手段）１０３に命令して、前記発信元端末Ａ１１０５１へ災害時の通話規制により接続が出来ない旨通知させる。
【００２９】
被災地エリア１０１の発信元端末Ａ１１０５１から着信先端末Ａ２１０５２への通話が許可される場合の処理を詳細に説明する。
【００３０】
図５に、被災地エリアＡ１０１内の端末Ａ１１０５１に対し通話が許可されるシーケンスを示す。
【００３１】
図５において、図１と同じものは、同一の番号を付してあり、処理の順番は＜＞内に示す。
【００３２】
災害が発生すると、被災地エリア１０１に対し通話規制が開始され、交換機Ａ１０２は通話規制装置１０６の通知＜１＞に従い、被災地エリア１０１の通話規制の通知を記憶し、通話規制を開始する＜２＞。
【００３３】
被災地エリアＡ１０１内の端末Ａ１１０５１が、通話したい相手の着信先端末Ａ２１０５２に対し発信する＜３＞。
【００３４】
交換機Ａ１０２は、通話規制装置１０６へ問い合わせ、発信した発信元端末Ａ１１０５１および、着信先端末Ａ２１０５２の通話接続の可否を問い合わせる＜４＞。通話規制装置１０６は、記憶手段１０６ｂに記憶した、現在の在圏エリア情報と通話履歴により、発信元端末Ａ１１０５１および、着信先端末Ａ２１０５２が被災地エリアＡ１０１に在圏し、災害発生後に被災地エリアＡ１０１内の端末との通話履歴が無いことを判断し＜５＞、交換機Ａ１０２に通話接続可を回答する＜６＞。
【００３５】
交換機Ａ１０２は、通話接続を接続手段に命令し＜７＞、受信先端末Ａ２１０５２を呼び出す＜８＞。
【００３６】
発信元端末Ａ１１０５１と着信先端末Ａ２１０５２の通話が行われる＜９＞。発信元端末Ａ１１０５１の通話が終了し電話を切断すると、交換機Ａ１０２を介して着信先端末Ａ２１０５２との通話が切断される＜１０＞。
【００３７】
交換機Ａ１０２が、通話規制装置１０７に通話登録の更新を依頼し＜１１＞、通話規制装置１０６における発信元端末Ａ１１０５１および、着信先端末Ａ２１０５２の通話履歴が更新され、同時に発信元端末Ａ１１０５１および、着信先端末Ａ２１０５２が災害発生後に通話したので、安否確認の情報が保存される＜１２＞。
【００３８】
前記の通話規制は、図２において、Ｓ１０１、Ｓ１０２、Ｓ１０３、Ｓ１０４、Ｓ１０５、Ｓ１０７、Ｓ１０８、Ｓ１０９、Ｓ１１０を通るフローの場合である。
【００３９】
次に、被災地エリアの発信元端末Ａ１１０５１が災害後に一度通話した後に、再度着信先端末Ａ２１０５２に発信して、通話が許可されない場合の処理を説明する。
【００４０】
図６に、被災地エリアＡ１０１内の端末Ａ１１０５１に対し通話が許可されないシーケンスを示す。
【００４１】
図６において、図１と同じものは、同一の番号を付してあり、処理の順番は＜＞内に示す。
【００４２】
被災地エリアＡ１０１内の端末Ａ１１０５１が、通話したい相手の着信先端末Ａ２１０５２に対し発信する＜１＞。  交換機Ａ１０２は、通話規制装置１０６へ、発信端末Ａ１１０５１および着信先端末Ａ２１０５２の通話接続の可否を問い合わせる＜２＞。通話規制装置１０６は、端末Ａ１１０５１および、着信先端末Ａ２１０５２が被災地エリアＡ１０１において両方の端末がそれぞれ災害発生後１回通話を行ったので、通話接続不可を判断し＜３＞、交換機Ａ１０２に通話接続不可を回答する＜４＞。交換機Ａ１０２は、通話不許可に基づき、災害時のアナウンスメントをアナウンスメント装置（通知手段）Ａ１０３に命令する＜５＞。
【００４３】
通話回数の制限値を超えたので接続不許可となった旨および、着信先端末Ａ２１０５２は災害発生後に通話を行ったので安全が確認されている旨を通知する＜６＞。
【００４４】
この場合、通話は成立しなかったので端末Ａ１１０５１および着信先端末Ａ２１０５２の通話履歴の登録の更新は行なわれない。
【００４５】
前記の通話規制は、図３において、Ｓ１０１、Ｓ１０２、Ｓ１０３、Ｓ１０４、Ｓ１０５、Ｓ１０６、Ｓ１１０を通るフローの場合である。
【００４６】
図７に、災害発生による通話の輻輳が無くなった時に、通話規制を解除するシーケンスを示す。
【００４７】
図７において、図１と同じものは、同一の番号を付してあり、処理の順番は＜＞内に示す。
【００４８】
通話規制装置１０６は、一定時間ごとに被災地エリアＡ１０１の交換機Ａ１０２における、通話の輻輳状態を監視している＜１＞。交換機Ａ１０２における通話の輻輳が無くなると＜２＞、通話規制装置１０６は、通話の輻輳状態終了の情報を把握する＜３＞。
【００４９】
通話規制装置１０６は、被災地エリアＡ１０１における通話輻輳が終了したことを判断し、通話規制された被災地エリアＡ１０１の端末に対し、災害発生後の通話を行ったことにより通話接続が不許可になった時刻が早い順に、通話規制を解除し、記憶手段１０６ｂの登録内容を更新し＜４＞、各エリアの交換機に通話規制の解除を通知する＜５＞。
【００５０】
各エリアの交換機は、記憶手段に記憶した災害による通話規制の情報をクリアし、通話規制を解除して、通常時の交換機動作にもどる（図示せず）。
【００５１】
前記の通話規制は、図２において、Ｓ１１０、Ｓ１１１を通るフローの部分を示す。
【００５２】
前記の説明では、発信元端末Ａ１１０５１と着信先端末Ａ２１０５２は両方とも被災地エリアＡ１０１内としたが、発信元端末Ａ１１０５１は被災地エリアＡ１０１内であり、着信先端末が被災地エリア外のエリアＢ１０７内の端末Ｂ１でも前記と同様にして通話規制が行なえる。
【００５３】
また前記の説明では、災害発生時から輻輳が終了するまで、通話回数の制限値は１回としたが、通話規制装置が複数の通話回数の制限値を予め記憶し、被災地エリアの交換機Ａ１０２の輻輳状態に応じて前記制限値を選択することも出来る。
【００５４】
例えば、災害発生直後で、通話の発信が交換機の処理能力の５倍以上起きている時間内は、通話回数の制限値としては１回を選択し、通話の発信が５倍未満に落ち着いてきたら、制限値として２回を選択することも出来る。
【００５５】
また、上記においては、通話回数をカウントする期間は、災害発生後に通話制限が開始されてから通話制限が解除されるまでであるが、適切な周期でリセットして、再度新しく通話回数をカウントして通話制限することも出来る。
【００５６】
例えば、通話回数の制限値を１回、リセットの周期を１日とし、災害発生後に１回通話しても、あくる日はまた１回通話できるようにする。
【００５７】
（実施例２）
実施例２においては、災害発生後の被災地エリアＡ１０１での通話回数の制限値を１回として、被災地エリア外から被災地エリアＡ１０１へ発信される通話に対する通話規制を行なうこととする。
【００５８】
実施例２における通話規制のネットワーク構成は、実施例１と同じであり、図１に示す。
【００５９】
実施例２において、通話規制装置１０６の構成は、図４と同じである。
【００６０】
また、交換機Ｂ１０８の構成は、図３における交換機Ａ１０２と同様であるので説明は省略する。
【００６１】
図８に、実施例２における被災地エリア外のエリアＢ１０７から被災エリア１０１内へ発信される通話に対する通話規制処理フローを示す。
【００６２】
図８において、Ｓ２０１は通話規制の始まり、Ｓ２０２は通話規制装置１０６が災害発生を判断するステップ、Ｓ２２０は通常の接続処理ステップ、Ｓ２０３は通話規制装置１０６が災害による通話規制を各エリアの交換機に通知し、エリアＢ１０７の交換機Ｂ１０８が通話規制を開始するステップ、Ｓ２０４はエリアＢ１０７の発信元端末Ｂ１１１１１が発信するステップ、Ｓ２０５は交換機Ｂ１０８が、通話規制装置１０６に発信元端末Ｂ１１１１１および着信先端末Ａ１１０５１の通話の可否を問い合わせ、通話規制装置１０６が発信元端末Ａ１１０５１および着信先端末Ａ２１０５２の被災地エリアＡ１０１での災害発生後の通話回数が制限値を超えていないかを判断するステップ、Ｓ２０６は交換機Ｂ１０８がアナウンスメント装置Ｂ１０９に命令して、発信元端末Ｂ１１１１１にアナウンス情報を通知するステップ、Ｓ２０７は発信元端末Ｂ１１１１１を着信先端末Ａ１１０５１に接続するステップ、Ｓ２０８は通話が終了するステップ、Ｓ２０９は発信元端末Ｂ１１１１１、および着信先端末Ａ１１０５１の通話履歴を通話規制装置１０６に登録するステップ、Ｓ２１０は通話規制装置１０６が通話の輻輳の終了を判断するステップ、Ｓ２１１は通話規制装置１０６が通話規制を解除するステップをそれぞれ示す。
【００６３】
交換機Ｂ１０８の構成は、図３における交換機Ａ１０２と同様であるので説明は省略する。
【００６４】
次に、エリアＢ１０７の発信元端末Ｂ１１１１１から、被災地エリア１０１の着信先端末Ａ１１０５１への通話が許可される場合の処理を詳細に説明する。
【００６５】
図９に、被災地エリア外のエリアＢ１０７の端末Ｂ１１１１１に対し通話が許可されるシーケンスを示す。
【００６６】
図９において、図１と同じものは、同一の番号を付してあり、処理の順番は＜＞内に示す。
【００６７】
災害が発生すると、被災地エリア１０１に対し通話規制が開始され、交換機Ｂ１０８は通話規制装置１０６の通知＜１＞に従い、被災地エリア１０１への通話規制の通知を記憶し、通話規制を開始する＜２＞。
【００６８】
被災地外のエリアＢ１０７の端末Ｂ１１１１１が、通話したい相手の着信先端末Ａ１１０５１に対し発信する＜３＞。  交換機Ｂ１０８は、通話規制装置１０６へ問い合わせ、発信した発信元端末Ｂ１１１１１および、着信先端末Ａ１１０５１の通話接続の可否を問い合わせる＜４＞。
【００６９】
通話規制装置１０６は、記憶手段１０６ｂに記憶した現在の在圏エリア情報と通話履歴により、着信先端末Ａ１１０５１が被災地エリアＡ１０１に在圏し、発信元端末Ｂ１１１１１および着信先端末Ａ１１０５１が、災害発生後に被災地エリアＡ１０１内の端末との通話履歴が無いことを判断し＜５＞、通話接続可を交換機Ａ１０２に回答する＜６＞。
【００７０】
交換機Ｂ１０８は、通話接続を接続手段に命令し＜７＞、受信先端末Ａ１１０５１を呼び出す＜８＞。
【００７１】
発信元端末Ａ１１０５１と着信先端末Ａ２１０５２の通話が行われる＜９＞。発信元端末Ａ１１０５１の通話が終了し電話を切断すると、交換機Ａ１０２を介して着信先端末Ａ２１０５２との通話が切断される＜１０＞。
【００７２】
交換機Ｂ１０８が、通話規制装置１０６に通話登録の更新を依頼し＜１１＞、通話規制装置１０６における発信元端末Ｂ１１１１１および、着信先端末Ａ１１０５１の通話履歴が更新され、同時に発信元端末Ｂ１１１１１が災害発生後に通話したので、端末Ｂ１１１１１に対する安否確認の情報が保存される＜１２＞。
【００７３】
前記の通話規制は、図８において、Ｓ２０１、Ｓ２０２、Ｓ２０３、Ｓ２０４、Ｓ２０５、Ｓ２０７、Ｓ２０８、Ｓ２０９、Ｓ２１０を通るフローの場合である。
【００７４】
次に、被災地エリア外のエリアＢ１０７の端末Ｂ２１１１２が災害後に、被災地エリアＡ１０１の着信先端末Ａ１１０５１に発信して、通話が許可されない場合の処理を説明する。
【００７５】
図１０に、被災地エリアＡ１０１内の端末Ａ１１０５１に対し通話が許可されないシーケンスを示す。
【００７６】
図１０において、図１と同じものは、同一の番号を付してあり、処理の順番は＜＞内に示す。
【００７７】
被災地エリア外のエリアＢ１０７の端末Ｂ２１１１２が、通話したい相手の着信先端末Ａ１１０５１に対し発信する＜１＞。  交換機Ｂ１０８は、通話規制装置１０６へ、発信元端末Ｂ２１１１２および着信先端末Ａ１１０５１の通話接続の可否を問い合わせる＜２＞。通話規制装置１０６は、記憶手段１０６ｂに記憶した現在の在圏情報と通話履歴により、着信先端末Ａ１１０５１が現在被災地エリアＡ１０１に在圏し、災害発生後に被災地エリア１０１にて１回通話を行ったので、通話接続不可を交換機Ｂ１０８に回答する＜３＞。
【００７８】
通話接続不可を判断し＜３＞、交換機Ａ１０２に通話接続不可を回答する＜４＞。
【００７９】
交換機Ｂ１０８は、通話不許可に基づき、災害時のアナウンスメントを、交換機Ｂ１０８が備えたアナウンスメント装置（通知手段）Ｂ１０９に命令する＜５＞。前記アナウンスメンント装置（通知手段）Ｂ１０９は、端末Ｂ２１１１２に対し、災害時の規制により着信先端末が通話回数の制限値を超えたので接続不許可となった旨および、着信先端末Ａ１１０５１は災害発生後に通話を行ったので安全が確認されている旨をアナウンスする＜６＞。
【００８０】
この場合、通話は成立しなかったので端末Ｂ２１１１２の通話登録の更新は行なわれない。
【００８１】
前記の通話規制は、図８において、Ｓ２０１、Ｓ２０２、Ｓ２０３、Ｓ２０４、Ｓ２０５、Ｓ２０６、Ｓ２１０を通るフローの場合である。
【００８２】
また、災害発生による通話の輻輳が無くなった時に、通話規制を解除するシーケンスは、図７と同じである。
【００８３】
前記の説明では、災害発生時から輻輳が終了するまで、通話回数の制限値は１回としたが、通話規制装置が複数の通話回数の制限値を予め記憶し、被災地エリアの交換機Ａ１０２の輻輳状態に応じて前記制限値を選択することも出来る。
【００８４】
例えば、災害発生直後で、通話の発信が交換機の処理能力の５倍以上起きている時間内は、通話回数の制限値としては１回を選択し、通話の発信が５倍未満に落ち着いてきたら、制限値として２回を選択することも出来る。
【００８５】
また、上記においては、通話回数をカウントする期間は、災害発生後に通話制限が開始されてから通話制限が解除されるまでであるが、適切な周期でリセットして、再度新しく通話回数をカウントして通話制限することも出来る。
【００８６】
例えば、リセットの周期を１日とし、通話が輻輳して通話回数の制限値が１回とされた時には、災害発生当日に１回通話しても、あくる日はまた１回通話できる。
【図面の簡単な説明】
【００８７】
【図１】通信ネットワーク構成を示す図である。
【図２】通話規制の処理フロー（実施例１）を示す図である。
【図３】交換機の構成（実施例１、２）を示す図である。
【図４】通話規制装置の構成を示す図である。
【図５】通話許可のシーケンス例（実施例１）を示す図である。
【図６】通話不許可のシーケンス例（実施例１）を示す図である。
【図７】通話解除のシーケンス（実施例１、２）を示す図である。
【図８】通話規制のフロー（実施例２）を示す図である。
【図９】通話許可のシーケンス例（実施例２）を示す図である。
【図１０】通話不許可のシーケンス例（実施例２）を示す図である。
【符号の説明】
【００８８】
１０１    被災地エリアＡ
１０２    交換機Ａ
１０２ａ  交換装置Ａ
１０２ｂ  コンピュータ（記憶手段、選択手段を含む）
１０２ｃ  記憶手段
１０２ｄ  命令手段
１０２ｅ  スイッチ（接続手段）
１０３    アナウンスメント装置（通知手段）Ａ
１０４１    基地局Ａ１
１０４２    基地局Ａ２
１０４ｎ    基地局Ａｎ
１０５１    端末Ａ１
１０５２    端末Ａ２
１０６    通話規制装置
１０６ａ  通信手段
１０６ｂ  記憶手段
１０６ｃ  判断手段
１０７    エリアＢ
１０８    交換機Ｂ
１０８ａ  交換装置Ｂ
１０９    アナウンスメント装置（通知手段）Ｂ
１１０１    基地局Ｂ１
１１０２    基地局Ｂ２
１１０ｎ    基地局Ｂｎ
１１１１    端末Ｂ１
１１１２    端末Ｂ２

【図１】
2007243325.tif 000003
【図２】
2007243325.tif 000004
【図３】
2007243325.tif 000005
【図４】
2007243325.tif 000006
【図５】
2007243325.tif 000007
【図６】
2007243325.tif 000008
【図７】
2007243325.tif 000009
【図８】
2007243325.tif 000010
【図９】
2007243325.tif 000011
【図１０】
2007243325.tif 000012